(57)【要約】【課題】効果的且つ使用者が楽に塵や微粒子を清掃できるモップ用布の構造を提供する。【解決手段】モップの清掃用布を三層の不織布構造層より構成し、第一および第三不織布構造層２，４上には数本の縦向きの溝２１，４１を設け、該縦向きの溝２１，４１を更に小さな数個の隙間２３，４３に隔てるよう接合する節目２２，４２を設け、第二不織布構造層３上には格子状のエンボス加工を施して立体的構造としてモップ本体５との結合性を高める。これら３層からなるモップ法布をモップ本体に取り付けて床面を払拭するよう前後往復操作をすると、該隙間の移動方向後方側の隙間の縁部がめくれて隙間が開き、該隙間中から第二不織布との間に塵、微粒子を取り込んで効果的に捕捉することができる。【選択図】      図  １【実用新案登録請求の範囲】
【請求項１】
第一不織布構造層と第二不織布構造層と第三不織布構造層とより構成されるモップ用布の構造において、
数本の縦向きの溝が設けられており、該縦向きの溝上に数個の節目をなす結合構造により該縦向きの溝より小さなサイズの数個の隙間が形成されている該第一及び第三不織布構造層と、
該第一不織布構造層と該第三不織布構造層との間に重ねて結合される該第二不織布構造層と、
を具有することを特徴とするモップ用布の構造。
【請求項２】
第一不織布構造層及び第二不織布構造層より構成される二層の不織布構造層より構成されるモップ用布の構造において、
数本の縦向きの溝が設けられており、該縦向きの溝上にに数個の節目をなす結合構造により該縦向きの溝よりも小さなサイズの数個の隙間が形成されている該第一不織布構造層と、
該第一不織布構造層を重ねて結合される該第二不織布構造層と、
を具有することを特徴とするモップ用布の構造。
【請求項３】
該節目は規則的或いは不規則に設置されており、不織布上に設けられた隙間が規則的に或いは不規則に配列されていることを特徴とする請求項１或いは２記載のモップ用布の構造。
【請求項４】
該不織布間の結合は、高周波接合を採用したプレス方式によりなされてなることを特徴とする請求項１或いは２記載のモップ用布の構造。
【請求項５】
該第二不織布構造層上にはエンボス加工を施すことにより、モップ本体と結合し易くされてなることを特徴とする請求項１或いは２記載のモップ用布の構造。
【考案の詳細な説明】
【技術分野】
【０００１】
本考案はモップ用布の構造に係り、特に不織布構造層に複数の間隙を設けることにより、モップ本体と結合させてモップとして使用した際、床の塵や微粒子を該間隙中に容易に入り込ませ、清掃が効果的に行える構造を具有するモップ用布の構造に関わる。
【背景技術】
【０００２】
現在一般的に使用されているモップは、多くがコットンや布等で床を払拭するタイプである。
【考案の開示】
【考案が解決しようとする課題】
【０００３】
しかし上述のような公知のモップでは塵や微粒子を効果的に清掃してクリーンにすることが困難であり、その主な原因とはモップを前後に動かすことで一旦は捕捉した塵や微粒子が落ちてしまうことであり、繰り返し何度も拭くことによって多少解消できる問題ではあるが、他にも重量が重く長時間使用することで使用者が大変疲れやすいなどの問題もある。
上述の欠点に鑑み、効果的且つ使用者が楽に塵や微粒子を清掃できるよう、本考案のモップ用布の構造を提供する。
【課題を解決するための手段】
【０００４】
第一および第三不織布構造層上には数本の縦向きの溝を設け、該縦向きの溝上には数個の規則的に配列された節目を設けることにより、該縦向きの溝を更に小さな数個の隙間に隔て、モップ本体と結合させて床面を払拭するべく動かすことで塵や微粒子が該隙間中に一旦捕捉されると落ちにくくし、第一不織布構造層と第三不織布構造層により両面を払拭面とすることでは交替して使用できるようにして使用寿命を延長させる。該第一不織布構造層と第三不織布構造層との間にて結合される第二不織布構造層にはエンボス加工を施すことでモップ本体と組み立てた際の結合力を高める。また清掃効果を高めるべく該節目を不規則に変えて配列することでは塵を捕捉できない死角が形成されるのを免れる目的を達成する。以上のように不織布を使用することで、重量を軽くして使用者の力の負担を軽減すると同時に、各種モップ本体に適用させるといった目的を達成する。
【考案の効果】
【０００５】
本考案によると、清掃しようとする個所を直に払拭する不織布構造層上に縦向きの溝と節目を設けたことにより数個の隙間が形成され、モップ本体と組み立てて使用した際に塵や微粒子が容易に捕捉されて落ちにくくなり、簡単な構造により清掃効果を高める目的が達成された。
【考案を実施するための最良の形態】
【０００６】
図１，２に示すように、本考案のモップ用布１の構造は主に三層の不織布構造層２，３，４より構成される。第一および第三不織布構造層２，４上には複数の縦向きの溝２１，４１が設けられており、且つ該縦向きの溝２１，４１上には規則的に数個の節目２２，４２が設けられることにより、該縦向きの溝２１，４１が数個の小さな隙間２３，４３として隔てられている。一方、第二不織布構造層３上には格子状のエンボス加工が施されており、立体構造とすることによって隣接する構造結合しやすい、或いは清掃の効果を上げるといった効果を提供する。こうして該第二不織布構造層３は高周波接合により該第一不織布構造層２と結合され、また同様にして高周波接合により該第三不織布構造層４と結合し、本考案のモップ用布１の構造が形成される。
【０００７】
図１，３に示すように、該第二不織布構造層３の面積は第一および第二不織布構造層２，４よりも大きく設計されている。よって本考案のモップ用布１を他の構造と結合させる際は、該第二不織布構造層３の両側でモップ本体５上を被覆固定し、こうすることで該第一および第三不織布構造層２，４が該モップ本体５と一体となって使用できるようになる。該第一と第三不織布構造層２，４の二面が清掃する個所と直に接触する個所となるため、一方が汚れたらもう一方に交替して使用すればよく、こうすることで使用寿命を効果的に延長する。
【０００８】
図４，５に示すように実際に使用する状態において説明する。先ず該モップ本体５を前方に移動して使用する際であるが、該モップ用布１上に形成される隙間後端２３１中にモップがけの勢いによって塵や微粒子等が該隙間２３中に入り込む。逆に該モップ本体５を後方に移動して使用する際には該モップ用布１上に形成される隙間前端２３２中に塵や微粒子等が該隙間２３中に入り込む。該隙間前端２３２および後端２３１は該モップ本体５に力をかけていない状態では閉じた状態を呈しており、よって該隙間２３に一旦入り込んだ塵や微粒子は外に出にくい構造となっている。
【０００９】
図６に示すように、縦向き溝２１上には数個の節目２２が設けられているが、上述の規則的に設ける方法以外にも不規則に設けてもよく、不規則に設けることで該隙間２３の位置を故意に不揃いにし、モップがけをするときに該節目２２がランダムに設けられたような状態で塵や微粒子を捕捉できない死角を形成してしまうことを防止し、清掃効果を増強する。
また本考案のモップ用布１の構造は清掃面を片側のみとすべく第一および第二不織布構造層のみにより形成されるものとして構成してもよく、このような構造においても清掃効果自体は上述に等しい効果が提供できる。
【図面の簡単な説明】
【００１０】
【図１】本考案におけるモップ用布の構造における分解図である。
【図２】本考案におけるモップ用布の構造における立体図である。
【図３】本考案におけるモップ用布の構造をモップに連結させた様子を示す図である。
【図４】図３におけるモップを前方に移動させた様子を示す図である。
【図５】図３におけるモップを後方に移動させた様子を示す図である。
【図６】本考案におけるモップ用布の構造におけるもう一つの立体図である。
【符号の説明】
【００１１】
１      モップ用布
２      第一不織布構造層
２１    縦向きの溝
２２    節目
２３    隙間
２３１  隙間後端
２３２  隙間前端
３      第二不織布構造層
４      第三不織布構造層
４１    縦向きの溝
４２    節目
４３    隙間
５      モップ本体
【図１】
0003104938.tif 000002
【図２】
0003104938.tif 000003
【図３】
0003104938.tif 000004
【図４】
0003104938.tif 000005
【図５】
0003104938.tif 000006
【図６】
0003104938.tif 000007